(57)【要約】    【課題】  コンクリート壁の構築のため、プレキャストコンクリートパネル上に次段のプレキャストコンクリートパネルをコンクリート詰込み用の隙間を設けて配する作業を能率良く行う。    【解決手段】  パネル体１を積み重ねる。パネル体は、コンクリート壁の表面に配するプレキャストコンクリートパネル２と裏面に配するプレキャストコンクリートパネル２を並列し、その間に支え具３と受け具４を掛け渡して取り付け、両側のプレキャストコンクリートパネルを結合し、幅をコンクリート壁の厚さにする。支え具は支え棒１１をプレキャストコンクリートパネル上方に突出して設け、受け具は下段のパネル体の支え棒先端に当たる受け部１２を設ける。支え具上に受け具が載ることによってパネル体を浮かせて支える。支え棒の突出長さと受け部の上下位置は、上下段のパネル体のプレキャストコンクリートパネル間の隙間がコンクリート詰込み空間１３になるように定める。【選択図】  図８
2017133238.tif 000002
【特許請求の範囲】
【請求項１】
コンクリート壁を構築するために積み重ねるパネル体であって、
パネル体は、コンクリート壁の表面に配する表面側のプレキャストコンクリートパネルと裏面に配する裏面側のプレキャストコンクリートパネルを対面して並列し、その間に支え具と受け具を掛け渡して取り付け、支え具と受け具の取付けで両側のプレキャストコンクリートパネルを連結して結合し、幅をコンクリート壁の厚さと同一にし、
支え具は、支え棒をプレキャストコンクリートパネルの上方又は下方に突出して設け、
受け具は、下段又は上段のパネル体の支え棒の先端に当たる受け部を設け、
支え具と受け具は、一方の上に他方が載ることによってパネル体を浮かせて支える構成にし、
支え棒の突出長さと受け部の上下位置は、パネル体を積み重ねたとき、上下段のパネル体のプレキャストコンクリートパネル間の隙間が、コンクリートを詰め込むのに適した幅になるように定め、隙間をコンクリート詰込み空間にする構成にしていることを特徴とするコンクリート壁構築用のパネル体。
【請求項２】
パネル体は、下段のパネル体の上に載せる際、左右方向の位置を決める左右位置決め機構を設け、
左右位置決め機構では、支え具の支え棒の先端又は受け具の受け部に位置決め片を左右に設け、左右の位置決め片の間に受け具の受け部又は支え具の支え棒の先端が嵌り込んで左右方向位置が決まる構成にしていることを特徴とする請求項１に記載のコンクリート壁構築用のパネル体。
【請求項３】
左右の位置決め片は、逆ハの字形又はハの字形に外開きにしていることを特徴とする請求項２に記載のコンクリート壁構築用のパネル体。
【請求項４】
パネル体は、下段のパネル体の上に載せる際、幅方向、前後方向の位置を決める前後位置決め機構を設け、
前後位置決め機構では、支え具の支え棒は先端側が上段又は下段のパネル体内に進入する長さにし、進入部のある支え棒を表面側と裏面側に設け、表面側の支え棒の進入部と裏面側の支え棒の進入部が上段又は下段のパネル体の表面側と裏面側のプレキャストコンクリートパネルの間に嵌り込んで前後方向位置が決まる構成にしていることを特徴とする請求項１、２又は３に記載のコンクリート壁構築用のパネル体。
【請求項５】
表面側の支え棒の進入部と裏面側の支え棒の進入部は、先端部の外面をハの字形又は逆ハの字形の斜面にし、先端部を先狭にしていることを特徴とする請求項４に記載のコンクリート壁構築用のパネル体。
【請求項６】
請求項１〜５のいずれかに記載のパネル体を用いるコンクリート壁の構築法であって、
下段のパネル体の上に上段のパネル体を載せて支え具と受け具の一方の上に他方を載せ、上段のパネル体を下段のパネル体の上にコンクリート詰込み空間を置いて配置し、
上下段のパネル体は、表面側と裏面側で、それぞれ、上下のプレキャストコンクリートパネルの外面にコンクリート詰込み空間を跨いて型枠板を取り付け、型枠板でコンクリート詰込み空間の外側の開口を閉鎖し、
上段のパネル体は、表面側と裏面側のプレキャストコンクリートパネルの間の中込めコンクリート空間に生コンクリートを打ち込み、
生コンクリートは、下段のパネル体の中込コンクリート上面に流下させ、上下段のパネル体の表面側と裏面側のコンクリート詰込み空間に充填し、上段のパネル体の中込めコンクリート空間に充填し、
上段のパネル体に現場打ちしたコンクリートは、養生して硬化し、硬化後、型枠板を取り外し、
パネル体を上下段に積み重ねてコンクリート壁を構築することを特徴とするコンクリート壁の構築法。
【請求項７】
上段のパネル体の現場打ちコンクリートの硬化後、前回と同様に、その上に次段のパネル体を載せ、型枠板を取り付け、生コンクリートを打ち込み、現場打ちコンクリートを硬化し、型枠板を取り外し、
パネル体の積み重ねを繰り返して、コンクリート壁を構築することを特徴とする請求項６に記載のコンクリート壁の構築法。
【請求項８】
プレキャストコンクリートパネルは鉄筋コンクリートパネルにし、
パネル体内に、コンクリート打込み前に、鉄筋を配置し、現場打ちコンクリートは鉄筋コンクリートにすることを特徴とする請求項６又は７に記載のコンクリート壁の構築法。
【発明の詳細な説明】
【技術分野】
【０００１】
本発明は、コンクリート壁を構築する技術に関する。
【背景技術】
【０００２】
コンクリート壁を構築する場合、構築現場の施工能率を高めるため、永久型枠を使用する工法が知られている。この工法では、永久型枠にするコンクリートパネルを工場で製作する。構築現場で、永久型枠のプレキャストコンクリートパネルを対面して配置する。向かい合うプレキャストコンクリートパネルの間の空間、コンクリート中込め空間に生コンクリートを打ち込む。このコンクリートが硬化すると、現場打ちの中込めコンクリートとその両側のプレキャストコンクリートパネルが密着して連結する。両側のプレキャストコンクリートパネルと現場打ち中込めコンクリートが一体化してコンクリート壁が構築される。
【０００３】
コンクリート壁は、表面側と裏面側でそれぞれ複数枚のプレキャストコンクリートパネルを用いる。プレキャストコンクリートパネルは、方形状にし、複数枚を左右方向に突き合わせて配列する。また、上下方向に突き合わせて配列する。
有害放射線の遮蔽力が求められる原子力関連施設では、鋼板コンクリート壁を用いることがある。鋼板コンクリート壁は、永久型枠を鋼板にする。鋼板は、方形状にし、壁の表面側と裏面側でそれぞれ複数枚を左右方向に突き合わせて溶接する。
【先行技術文献】
【特許文献】
【０００４】
【特許文献１】特開２０１２−１０７３８１号公報
【発明の概要】
【発明が解決しようとする課題】
【０００５】
［課  題］
上記のようなコンクリート壁においては、表面側でも、裏面側でも、左右に隣り合うプレキャストコンクリートパネルは、左右側面同士が結合していない。接触しているだけである。上下に隣り合うプレキャストコンクリートパネルも、上下側面同士が接触しているだけで結合していない。コンクリート壁は、プレキャストコンクリートパネルの左右側面位置と上下側面位置では、その他の位置よりプレキャストコンクリートパネル分、厚さが薄くなって断面積が少なくなる。その結果、機械的強度や放射線遮蔽力が低くなる。
【０００６】
この解決策として、左右上下に隣り合うプレキャストコンクリートパネルの間に隙間を設けて隙間にコンクリートを詰める方法が考えられる。
プレキャストコンクリートパネルは、左右方向又は上下方向に配列するに当たり、左側面と右側面との間又は上側面と下側面との間に、コンクリートを詰める隙間を設ける。この隙間は、向かい合うプレキャストコンクリートパネルの間のコンクリート中込め空間に連通する。そして、生コンクリートは、コンクリート中込め空間に打ち込むに当たり、プレキャストコンクリートパネルの左右側面間の隙間、上下側面間の隙間にも流入させて充填する。コンクリート中込め空間のみならず隙間にも詰め込む。このコンクリートが硬化すると、現場打ちコンクリートは、プレキャストコンクリートパネルの内面のみならず左右側面、上下側面にも密着して結合する。コンクリート壁は、プレキャストコンクリートパネルの左右側面間の部分、上下側面間の部分で、その他の部分より、現場打ちコンクリートが厚くなって、プレキャストコンクリートパネルがない分、現場打ちコンクリートの断面積が多くなる。機械的強度や放射線遮蔽力が低くならない。
【０００７】
この解決策を実行するには、プレキャストコンクリートパネルの上に次段のプレキャストコンクリートパネルを、コンクリートを詰め込む隙間を設けて配置する必要がある。プレキャストコンクリートパネルを宙に浮かせて配置する作業を能率良く行う課題がある。
【０００８】
［着  想］
１）パネル体の積み重ね
コンクリート壁の構築では、工場で製作したパネル体を構築現場で積み重ねることにする。
パネル体は、コンクリート壁の表面に配する表面側のプレキャストコンクリートパネルと裏面に配する裏面側のプレキャストコンクリートパネルを対面して並列し、その間に支え具と受け具を掛け渡して取り付ける。支え具と受け具の取付けで両側のプレキャストコンクリートパネルを連結して結合する。パネル体は、幅をコンクリート壁の厚さと同一にする。
【０００９】
パネル体では、支え具と受け具は、両側のプレキャストコンクリートパネルの連結具の外に、パネル体の積み重ね具にする。
支え具は、支え棒をプレキャストコンクリートパネルの上方又は下方に、即ち、上下方向に突出して設ける。受け具は、下段又は上段のパネル体の支え棒の上端又は下端、即ち、先端に当たる受け部を設ける。支え具と受け具は、一方の上に他方が載ることによってパネル体を浮かせて支える構成にする。支え棒の突出長さと受け部の上下位置は、パネル体を積み重ねたとき、上下段のパネル体のプレキャストコンクリートパネル間の隙間が、コンクリートを詰め込むのに適した幅になるように定める。隙間は、コンクリート詰込み空間にする。隙間の幅は、例えば、４〜６ｃｍ位にする。
【００１０】
構築現場では、下段のパネル体の上に次の上段のパネル体を配置し、下段のパネル体の支え具又は受け具の上に上段のパネル体の受け具又は支え具を載せる。上段のパネル体は、下段のパネル体の上に支え具と受け具で浮かせて支持する。すると、上段のパネル体は、下段のパネル体の上に予め設定した幅の隙間を置いて配置される。上下段のパネル体は、表面側と裏面側でそれぞれ上下のプレキャストコンクリートパネル間に予め設定した幅の隙間、コンクリート詰込み空間が形成される。
【００１１】
２）パネル体の左右方向の位置決め
パネル体は、下段のパネル体の上に載せる際、左右方向の位置を決める左右位置決め機構を設ける。
支え具と受け具は、一方の上に他方が載ったとき左右方向の相対移動を止める位置決め片を設ける。
支え具の支え棒の先端は、位置決め片を左右に設ける。左右の位置決め片は、その間に受け具の受け部が嵌り込む構成にする。受け具の受け部が左右の位置決め片の間に嵌り込むと左右方向位置が決まる。又は、受け具の受け部は、位置決め片を左右に設ける。左右の位置決め片は、その間に支え具の支え棒の先端が嵌り込む構成にする。支え具の支え棒の先端が左右の位置決め片の間に嵌り込むと左右方向位置が決まる。
【００１２】
更に、左右の位置決め片は、逆ハの字形又はハの字形に外開きにする。左右の位置決め片の間に受け具の受け部又は支え具の支え棒先端が入り易くなる。
【００１３】
３）パネル体の前後方向の位置決め
パネル体は、下段のパネル体の上に載せる際、幅方向、前後方向の位置を決める前後位置決め機構を設ける。
支え具の支え棒は、先端側が上段又は下段のパネル体内に進入する長さにする。進入部のある支え棒は、表面側と裏面側に設ける。表面側の支え棒の進入部と裏面側の支え棒の進入部が上段又は下段のパネル体の表面側と裏面側のプレキャストコンクリートパネルの間に嵌り込む構成にする。パネル体は、その表面側と裏面側のプレキャストコンクリートパネルの間に下段のパネル体の表面側と裏面側の支え棒の進入部が嵌り込むと前後方向の位置が決まる。又は、パネル体は、その表面側と裏面側の支え棒の進入部が下段のパネル体の表面側と裏面側のプレキャストコンクリートパネルの間に嵌り込むと前後方向の位置が決まる。
【００１４】
更に、表面側の支え棒の進入部と裏面側の支え棒の進入部は、先端部の外面をハの字形又は逆ハの字形の斜面にする。先端部を先狭にする。上段又は下段のパネル体内に進入し易くなる。
【００１５】
４）コンクリート壁の構築
下段のパネル体の上に上段のパネル体を載せる。すると、上段のパネル体は、下段のパネル体の上に予め設定した幅の隙間、コンクリート詰込み空間を置いて配置される。
上下段のパネル体は、表面側と裏面側で、それぞれ、上下のプレキャストコンクリートパネルの外面にコンクリート詰込み空間を跨いて型枠板を取り付ける。型枠板は、コンクリート詰込み空間の外側の開口を閉鎖する。
上段のパネル体は、表面側と裏面側のプレキャストコンクリートパネルの間の中込めコンクリート空間に生コンクリートを打ち込む。生コンクリートは、下段のパネル体の中込コンクリート上面に流下し、上下段のパネル体の表面側と裏面側のコンクリート詰込み空間に充満し、上段のパネル体の中込めコンクリート空間に充満する。
上段のパネル体に現場打ちしたコンクリートは、養生して硬化する。コンクリートの硬化後、型枠板を取り外す。
パネル体を上下段に積み重ねてコンクリート壁を構築する。
【００１６】
更に、上段のパネル体の現場打ちコンクリートの硬化後、前回と同様に、パネル体の積み重ね施工を行う。即ち、その上に次段のパネル体を載せる。型枠板を取り付ける。生コンクリートを打ち込む。現場打ちコンクリートを硬化する。型枠板を取り外す。
パネル体の積み重ね施工を繰り返して、コンクリート壁を構築する。
【００１７】
また、コンクリート壁が鉄筋コンクリート壁であるときには、プレキャストコンクリートパネルは鉄筋コンクリートパネルにする。また、現場打ちコンクリートは鉄筋コンクリートにする。即ち、パネル体内に、コンクリート打込み前に、鉄筋を配置する。
【課題を解決するための手段】
【００１８】
１．コンクリート壁を構築するために構築現場で積み重ねるパネル体であって、
パネル体は、コンクリート壁の表面に配する表面側のプレキャストコンクリートパネルと裏面に配する裏面側のプレキャストコンクリートパネルを対面して並列し、その間に支え具と受け具を掛け渡して取り付け、支え具と受け具の取付けで両側のプレキャストコンクリートパネルを連結して結合し、幅をコンクリート壁の厚さと同一にし、
支え具は、支え棒をプレキャストコンクリートパネルの上方又は下方に突出して設け、
受け具は、下段又は上段のパネル体の支え棒の先端に当たる受け部を設け、
支え具と受け具は、一方の上に他方が載ることによってパネル体を浮かせて支える構成にし、
支え棒の突出長さと受け部の上下位置は、パネル体を積み重ねたとき、上下段のパネル体のプレキャストコンクリートパネル間の隙間が、コンクリートを詰め込むのに適した幅になるように定め、隙間をコンクリート詰込み空間にする構成にしていることを特徴とするコンクリート壁構築用のパネル体。
２．上記１のコンクリート壁構築用のパネル体において、
パネル体は、下段のパネル体の上に載せる際、左右方向の位置を決める左右位置決め機構を設け、
左右位置決め機構では、支え具の支え棒の先端又は受け具の受け部に位置決め片を左右に設け、左右の位置決め片の間に受け具の受け部又は支え具の支え棒の先端が嵌り込んで左右方向位置が決まる構成にしていることを特徴とする。
３．上記２のコンクリート壁構築用のパネル体において、
左右の位置決め片は、逆ハの字形又はハの字形に外開きにしていることを特徴とする。
４．上記１、２又は３のコンクリート壁構築用のパネル体において、
パネル体は、下段のパネル体の上に載せる際、幅方向、前後方向の位置を決める前後位置決め機構を設け、
前後位置決め機構では、支え具の支え棒は先端側が上段又は下段のパネル体内に進入する長さにし、進入部のある支え棒を表面側と裏面側に設け、表面側の支え棒の進入部と裏面側の支え棒の進入部が上段又は下段のパネル体の表面側と裏面側のプレキャストコンクリートパネルの間に嵌り込んで前後方向位置が決まる構成にしていることを特徴とする。
５．上記４のコンクリート壁構築用のパネル体において、
表面側の支え棒の進入部と裏面側の支え棒の進入部は、先端部の外面をハの字形又は逆ハの字形の斜面にし、先端部を先狭にしていることを特徴とする。
６．上記１〜５のいずれかのパネル体を用いるコンクリート壁の構築法であって、
下段のパネル体の上に上段のパネル体を載せて支え具と受け具の一方の上に他方を載せ、上段のパネル体を下段のパネル体の上にコンクリート詰込み空間を置いて配置し、
上下段のパネル体は、表面側と裏面側で、それぞれ、上下のプレキャストコンクリートパネルの外面にコンクリート詰込み空間を跨いて型枠板を取り付け、型枠板でコンクリート詰込み空間の外側の開口を閉鎖し、
上段のパネル体は、表面側と裏面側のプレキャストコンクリートパネルの間の中込めコンクリート空間に生コンクリートを打ち込み、
生コンクリートは、下段のパネル体の中込コンクリート上面に流下させ、上下段のパネル体の表面側と裏面側のコンクリート詰込み空間に充填し、上段のパネル体の中込めコンクリート空間に充填し、
上段のパネル体に現場打ちしたコンクリートは、養生して硬化し、硬化後、型枠板を取り外し、
パネル体を上下段に積み重ねてコンクリート壁を構築することを特徴とするコンクリート壁の構築法。
７．上記６のコンクリート壁の構築法において、
上段のパネル体の現場打ちコンクリートの硬化後、前回と同様に、その上に次段のパネル体を載せ、型枠板を取り付け、生コンクリートを打ち込み、現場打ちコンクリートを硬化し、型枠板を取り外し、
パネル体の積み重ねを繰り返して、コンクリート壁を構築することを特徴とする。
８．上記６又は７のコンクリート壁の構築法において、
プレキャストコンクリートパネルは鉄筋コンクリートパネルにし、
パネル体内に、コンクリート打込み前に、鉄筋を配置し、現場打ちコンクリートは鉄筋コンクリートにすることを特徴とする。
【発明の効果】
【００１９】
コンクリート壁を構築するに当たり、プレキャストコンクリートパネルの上に次段のプレキャストコンクリートパネルを、コンクリートを詰め込む隙間を設けて配置する作業を能率良く行うことができる。
【図面の簡単な説明】
【００２０】
【図１】本発明の実施形態におけるコンクリート壁の構築に用いるパネル体の正面図。
【図２】図１のＡ−Ａ線断面拡大図。
【図３】図１のＢ−Ｂ線断面拡大図。
【図４】図１のＣ−Ｃ線断面拡大図。
【図５】同パネル体の平面図。
【図６】図５のＤ−Ｄ線断面図。
【図７】同パネル体を積み重ねた状態の正面図。
【図８】図７のＥ−Ｅ線断面図。
【図９】同コンクリート壁の構築時に第１段のパネル体を施工した状態の正面図。
【図１０】図９のＦ−Ｆ線断面拡大図。
【図１１】第２段のパネル体を施工した状態の正面図。
【図１２】図１１のＧ−Ｇ線断面拡大図。
【図１３】第３段のパネル体を施工した状態の正面図。
【図１４】図１３のＨ−Ｈ線断面図。
【図１５】同コンクリート壁の正面図。
【図１６】図１５のＩ−Ｉ線断面図。
【発明を実施するための形態】
【００２１】
［パネル体の構成］
実施形態のコンクリート壁の構築に用いるパネル体１は、図１〜図６に示すように、構築予定のコンクリート壁の表面に配する表面側のプレキャストコンクリートパネル２と裏面に配する裏面側のプレキャストコンクリートパネル２の２枚を対面して並列し、その間に支え具３と受け具４をそれぞれ掛け渡して取り付けている。支え具３と受け具４の取付けで表面側と裏面側のプレキャストコンクリートパネル２を連結して結合している。両側のプレキャストコンクリートパネル２の間の空間は、コンクリート中込め空間５にしている。パネル体１は、前後方向の寸法、幅を構築予定のコンクリート壁の厚さと同一にしている。
【００２２】
表面側と裏面側のプレキャストコンクリートパネル２は、横長の長方形状にし、同一の形状寸法にしている。プレキャストコンクリートパネル２は、内面の上下左右の稜線部を面取り面にしている。内部には、図示しないが、鉄筋を埋没している。鉄筋コンクリートパネルにしている。実施例では、パネル体１の縦、横、幅の寸法は１００×３００×６０ｃｍにしている。プレキャストコンクリートパネル２の厚さは１０ｃｍにしている。
【００２３】
支え具３と受け具４は、両側のプレキャストコンクリートパネル２の連結具の外に、パネル体１の積み重ね具にしている。
支え具３は、パネル体１の上部に配置し、支え棒１１をプレキャストコンクリートパネル２の上方に突出して設けている。支え棒１１は、表面側と裏面側にそれぞれ設けている。受け具４は、パネル体１の下部に配置し、受け部１２を支え棒１１の真下位置、下段パネル体の支え棒１１の上端に当たる位置に設けている。受け部１２は、表面側と裏面側にそれぞれ設けている。上下に配置した支え具３と受け具４は、パネル体１の左部と右部にそれぞれ設けている。パネル体１は、支え具３の支え棒１１と受け具４の受け部１２をそれぞれ前後左右の４個所に配置している。図７と図８に示すように、下段パネル体の支え具３の上に上段パネル体の受け具４が載ることによって、上段パネル体１を下段パネル体１の上に浮かせて支える構成にしている。
【００２４】
支え棒１１の突出長さと受け部１２の上下位置は、パネル体１を積み重ねたとき、上下段のパネル体のプレキャストコンクリートパネル２間の隙間１３がコンクリートを詰め込むのに適した幅になるように定めている。隙間１３は、コンクリート詰込み空間１３にしている。実施例では、隙間、コンクリート詰込み空間１３の幅は５ｃｍにしている。プレキャストコンクリートパネル２の厚さの半分にしている。
【００２５】
パネル体１は、下段のパネル体１の上に載せる際、下段のパネル体１の真上位置に配置する。真上位置に配置し易くするため、パネル体１の左右方向の位置を決める左右位置決め機構と、パネル体１の幅方向、前後方向の位置を決める前後位置決め機構を設けている。
【００２６】
左右位置決め機構は、図１〜図３に示すように、支え具の支え棒１１の上端に位置決め片１６を左右に設けている。左右の位置決め片１６の間に受け具の受け部１２が嵌り込むと、受け具４の左右方向位置、パネル体１の左右方向位置が決まる構成にしている。左右の位置決め片１６は、逆ハの字形に外開きにしている。左右の位置決め片１６の間に受け具の受け部１２が入り易くしている。
【００２７】
前後位置決め機構は、図７と図８に示すように、支え具の表面側と裏面側の支え棒１１を、その上端側が上段のパネル体１内に進入する長さにしている。表面側と裏面側の支え棒１１の進入部が上段のパネル体の表面側と裏面側のプレキャストコンクリートパネル２の間に嵌り込むと、パネル体１の前後方向位置が決まる構成にしている。支え具の表面側と裏面側の支え棒１１の進入部は、図２と図３に示すように、上端部の外面をハの字形の斜面１７にしている。上端部を先狭にしている。上段のパネル体１内に進入し易くしている。
【００２８】
支え具３は、図１〜図３に示すように、概略Ｈ形状の金具にし、主材料のみぞ形鋼をＨ形状に溶接している。表面側と裏面側の支え棒１１は、それぞれ、みぞ形鋼にし、みぞ形鋼の上端に平鋼を水平に溶接している。表面側と裏面側の支え棒１１のみぞ形鋼は、それぞれ、下部を表面側と裏面側のプレキャストコンクリートパネル２の内面にボルト２１で固定している。表面側と裏面側のプレキャストコンクリートパネル２は、それぞれ、内面にボルト２１用のネジ穴をインサートによって設けている。表面側と裏面側の支え棒１１は、それぞれ、外面を表面側と裏面側のプレキャストコンクリートパネル２の内面と同一面内に配置している。左右の位置決め片１６は、支え棒１１のみぞ形鋼の上端の左右に平鋼を逆ハの字形に外開きに溶接している。
【００２９】
受け具４は、図１〜図３に示すように、棒形状の金具にし、主材料をみぞ形鋼にしている。表面側と裏面側の受け部１２は、それぞれ、受け具４のみぞ形鋼の表面側と裏面側の端部にしている。受け具４のみぞ形鋼は、両端にそれぞれ平鋼を溶接している。両端の平鋼は、それぞれ、表面側と裏面側のプレキャストコンクリートパネル２の内面にボルト２２で固定している。表面側と裏面側のプレキャストコンクリートパネル２は、それぞれ、内面にボルト２２用のネジ穴をインサートによって設けている。
なお、表面側と裏面側のプレキャストコンクリートパネル２の間には、受け具４と同様な棒形状の金具を補強連結材２６として取り付けている。また、間隔保持材のセパレータ２７を取り付けている。
【００３０】
［パネル体の使用法、コンクリート壁の構築法］
パネル体１は、工場で製作する。そして、コンクリート壁の構築現場に運搬する。
コンクリート壁の構築位置には、図９と図１０に示すように、構築面３１上に第１段のパネル体１を施工する。
構築面３１上には、パネル体の支え具の支え棒１１の突出部に相当する支え台３２を支え棒１１と同様に前後左右に配置する。第１段のパネル体１は、支え台３２の上方に保持して下降する。第１段のパネル体１内には、前後左右の支え台３２の進入部を進入させる。第１段のパネル体１は、受け具の各受け部１２をそれぞれ支え台３２の上に載せる。すると、第１段のパネル体１は、構築面３１上に予め設定した幅の隙間１３を置いて配置される。第１段のパネル体１は、表面側と裏面側で、それぞれ、プレキャストコンクリートパネル２と構築面３１との間に横長のコンクリート詰込み空間１３が形成される。表面側と裏面側の横長のコンクリート詰込み空間１３は、第１段のパネル体のコンクリート中込め空間５に連通する。
【００３１】
構築面３１上に配置した第１段のパネル体１の左側又は右側には、次の第１段パネル体１を同様に配置する。左右の第１段パネル体１の間には、予め設定した幅の隙間３３を設ける。左右の第１段パネル体１は、表面側と裏面側で、それぞれ、左右のプレキャストコンクリートパネル２の間に縦長のコンクリート詰込み空間３３が形成される。表面側と裏面側の縦長のコンクリート詰込み空間３３は、第１段のパネル体のコンクリート中込め空間５に連通する。
【００３２】
第１段のパネル体の配置後、左右の第１段パネル体１は、表面側と裏面側で、それぞれ、左右のプレキャストコンクリートパネル２の外面に縦長のコンクリート詰込み空間３３を跨いて縦長の型枠板３４をボルト３５で取り付ける。表面側と裏面側のプレキャストコンクリートパネル２は、それぞれ、外面にボルト３５用のネジ穴をインサートによって設けている。縦長の型枠板３４は、縦長のコンクリート詰込み空間３３の外側の開口を閉鎖する。
【００３３】
また、第１段のパネル体１は、表面側と裏面側で、それぞれ、プレキャストコンクリートパネル２の外面に横長のコンクリート詰込み空間１３の外側の開口を塞いて横長の型枠板３６をボルト３７で取り付ける。表面側と裏面側のプレキャストコンクリートパネル２は、それぞれ、外面にボルト３７用のネジ穴をインサートによって設けている。
【００３４】
第１段のパネル体の左右の縦長のコンクリート詰込み空間３３と下側の横長のコンクリート詰込み空間１３の外側開口を閉鎖した後、第１段のパネル体１は、その上側からコンクリート中込め空間５に生コンクリートを打ち込む。生コンクリートは、構築面３１に流下し、表面側と裏面側の横長の型枠板３６の間の空間とコンクリート中込め空間５及び表面側と裏面側の縦長の型枠板３４の間の空間に充満する。表面側と裏面側の横長のコンクリート詰込み空間１３には、生コンクリートが詰め込まれる。また、表面側と裏面側の縦長のコンクリート詰込み空間３３には、生コンクリートが詰め込まれる。生コンクリートの打込み高さは、第１段のパネル体のプレキャストコンクリートパネル２上側面より少し低くする。なお、第１段のパネル体１内には、図示しないが、コンクリート打込み前に、鉄筋を配置する。
第１段の現場打ちコンクリート３８は、養生して硬化する。現場打ちコンクリート３８の硬化後、縦長と横長の型枠板３４、３６は取り外す。
【００３５】
第１段のパネル体の施工後、図１１と図１２に示すように、第１段のパネル体１の上に第２段のパネル体１を施工する。
第２段のパネル体１は、第１段のパネル体１の上方に保持して下降する。第２段のパネル体１内には、第１段のパネル体１の上に突出した前後左右の支え具の支え棒１１の進入部を進入させる。第２段のパネル体の受け具の前後左右の受け部１２をそれぞれ第１段のパネル体の支え具の支え棒１１の上に載せる。すると、第２段のパネル体１は、第１段のパネル体１の真上位置に予め設定した幅の隙間１３を置いて配置される。第１段と第２段のパネル体１は、表面側と裏面側で、それぞれ、上下のプレキャストコンクリートパネル２の間に横長のコンクリート詰込み空間１３が形成される。表面側と裏面側の横長のコンクリート詰込み空間１３は、第２段のパネル体のコンクリート中込め空間５に連通する。
【００３６】
第１段のパネル体１の上に配置した第２段のパネル体１の左側又は右側には、次の第２段パネル体１を同様に配置する。左右の第２段パネル体１の間には、予め設定した幅の隙間３３が形成される。左右の第２段パネル体１は、表面側と裏面側で、それぞれ、左右のプレキャストコンクリートパネル２の間に縦長のコンクリート詰込み空間３３が形成される。表面側と裏面側の縦長のコンクリート詰込み空間３３は、第２段のパネル体のコンクリート中込め空間５に連通する。
【００３７】
第２段のパネル体の配置後、第２段の左右のパネル体１は、表面側と裏面側で、それぞれ、左右のプレキャストコンクリートパネルの外面に縦長のコンクリート詰込み空間３３を跨いて縦長の型枠板３４をボルト３５で取り付ける。縦長の型枠板３４は、縦長のコンクリート詰込み空間３３の外側の開口を閉鎖する。
【００３８】
また、第１段と第２段のパネル体１は、表面側と裏面側で、それぞれ、上下のプレキャストコンクリートパネル２の外面に横長のコンクリート詰込み空間１３を跨いて横長の型枠板３６をボルト３７で取り付ける。横長の型枠板３６は、横長のコンクリート詰込み空間１３の外側の開口を閉鎖する。
【００３９】
第２段のパネル体１の左右の縦長のコンクリート詰込み空間３３と下側の横長のコンクリート詰込み空間１３の外側開口を閉鎖した後、第２段のパネル体１は、その上側からコンクリート中込め空間５に生コンクリートを打ち込む。生コンクリートは、第１段の現場打ちコンクリート３８の上面に流下し、第１段の現場打ちコンクリート３８の上側部分の空間、表面側と裏面側の横長の型枠板３６の間の空間と第２段のパネル体１のコンクリート中込め空間５及び表面側と裏面側の縦長の型枠板３４の間の空間に充満する。表面側と裏面側の横長のコンクリート詰込み空間１３には、生コンクリートが詰め込まれる。また、表面側と裏面側の縦長のコンクリート詰込み空間３３には、生コンクリートが詰め込まれる。生コンクリートの打込み高さは、第２段のパネル体のプレキャストコンクリートパネル２上側面より少し低くする。なお、第２段のパネル体内には、図示しないが、コンクリート打込み前に、鉄筋を配置する。
第２段の現場打ちコンクリート３８は、養生して硬化する。現場打ちコンクリート３８の硬化後、縦長と横長の型枠板３４、３６を取り外す。
【００４０】
第２段のパネル体の施工後、図１３と図１４に示すように、第２段のパネル体１の上に第３段のパネル体１を施工する。
第３段のパネル体１は、第２段の前回と同様に、第２段のパネル体１の上に載せる。縦長と横長の型枠板３４、３６を取り付ける。鉄筋を配置する。生コンクリートを打ち込む。現場打ちコンクリート３８を養生して硬化する。縦長と横長の型枠板３４、３６を取り外す。
【００４１】
パネル体１の積み重ね施工を繰り返して、鉄筋コンクリート壁４１を構築する。鉄筋コンクリート壁４１は、図１５と図１６に示すように、表面側と裏面側のプレキャストコンクリートパネル２と現場打ちコンクリート３８が密着して結合し、下段と上段の現場打ちコンクリート３８が密着して結合している。また、表面側と裏面側で、それぞれ、左右のプレキャストコンクリートパネル２の左右側面の間の部分、縦長のコンクリート詰込み空間３３であった部分と、上下のプレキャストコンクリートパネル２の上下側面の間の部分、横長のコンクリート詰込み空間１３であった部分には、現場打ちコンクリート３８が詰め込まれている。現場打ちコンクリート３８は、プレキャストコンクリートパネル２のない部分で、プレキャストコンクリートパネル２のある部分より、プレキャストコンクリートパネル２の厚さ分、厚くなっている。鉄筋コンクリート壁４１は、プレキャストコンクリートパネル２のない部分の断面積がプレキャストコンクリートパネル２のある部分と同一になっている。
【００４２】
［変形例］
本発明は、上記の実施形態に限定されない。次のような変形が例示される。
１．上記の実施形態において、パネル体１は、支え具３を受け具４の上側に配置して支え具の支え棒１１をプレキャストコンクリートパネル２の上方に突出しているが、支え具３を受け具４の下側に配置して支え具の支え棒１１をプレキャストコンクリートパネル２の下方に突出する。
２．上記の実施形態において、
左右位置決め機構は、左右の位置決め片１６を支え具の支え棒１１の上端に設けているが、受け具の受け部１２に設ける。
３．上記の実施形態において、コンクリート壁４１は、鉄筋コンクリート壁にしているが、無筋のコンクリート壁にする。
４．上記の実施形態において、パネル体１の積み重ね施工を繰り返し、パネル体を３段以上の多数段に積み重ねてコンクリート壁を構築するが、パネル体を２段に積み重ねてコンクリート壁を構築する。
【産業上の利用可能性】
【００４３】
本発明は、原子力関連施設の壁、建物の壁、防潮堤、津波を防ぐ壁、強風を防ぐ壁に利用することができる。
【符号の説明】
【００４４】
１  パネル体
２  表面側と裏面側のプレキャストコンクリートパネル
３  支え具
４  受け具
５  コンクリート中込め空間
１１  支え具の支え棒
１２  受け具の受け部
１３  隙間、横長のコンクリート詰込み空間
１６  位置決め片
１７  斜面
２１  支え具固定用のボルト
２２  受け具固定用のボルト
２６  補強連結材
２７  間隔保持材のセパレータ
３１  構築面３１  
３２  支え台
３３  隙間、縦長のコンクリート詰込み空間
３４  縦長の型枠板
３５  縦長型枠板固定用のボルト
３６  横長の型枠板
３７  横長型枠板固定用のボルト
３８  現場打ちコンクリート
４１  鉄筋コンクリート壁
【図１】
2017133238.tif 000003
【図２】
2017133238.tif 000004
【図３】
2017133238.tif 000005
【図４】
2017133238.tif 000006
【図５】
2017133238.tif 000007
【図６】
2017133238.tif 000008
【図７】
2017133238.tif 000009
【図８】
2017133238.tif 000010
【図９】
2017133238.tif 000011
【図１０】
2017133238.tif 000012
【図１１】
2017133238.tif 000013
【図１２】
2017133238.tif 000014
【図１３】
2017133238.tif 000015
【図１４】
2017133238.tif 000016
【図１５】
2017133238.tif 000017
【図１６】
2017133238.tif 000018